(57)【要約】【課題】給紙トレイを装置本体に対して脱着する場合に操作力が小さくすみ、且つ装置本体や給紙トレイに衝撃が加えられても給紙トレイが装置本体から抜き出ないようにした給紙装置等を提供する。【解決手段】給紙トレイ１は、給紙トレイに一体に取り付けられ、略水平方向に操作して給紙トレイを挿脱可能するレバー４と、レバーに係合され、レバーの操作に応じて回動可能なフック５とを備え、装置本体は、装置本体から給紙トレイを押し出す方向に加圧する第１の付勢部材９と、フックに係合し、給紙トレイの装置本体に対する位置決めを行う位置決め部材６と、位置決め部材をフックに対して加圧するように付勢する第２の付勢部材７とを備えた。【選択図】図１
2006206319.tif 000002
【特許請求の範囲】
【請求項１】
画像形成装置本体に対して、給紙トレイが略水平方向に挿脱可能に構成された給紙装置において、
前記給紙トレイは、該給紙トレイに一体に取り付けられ、前記画像形成装置本体に対して略水平方向に操作して該給紙トレイを挿脱可能に設けられたレバーと、
該レバーに係合され、該レバーの操作に応じて回動可能なフックとを備えてなり、
前記画像形成装置本体は、該画像形成装置本体から前記給紙トレイを押し出す方向に加圧する第１の付勢部材と、
前記フックに係合し、前記給紙トレイの前記画像形成装置本体に対する位置決めを行う位置決め部材と、
該位置決め部材を前記フックに対して加圧するように付勢する第２の付勢部材と
を備えてなることを特徴とする給紙装置。
【請求項２】
画像形成装置本体に対して、給紙トレイが略水平方向に挿脱可能に構成された給紙装置において、
前記給紙トレイは、該給紙トレイに一体に取り付けられ、前記画像形成装置本体に対して略水平方向に操作して該給紙トレイを挿脱可能に設けられたレバーと、
一端部が該レバーに係合されると共に、他端部が該レバーの操作に応じて回動可能なフックに係合されるリンク部材とを備えてなり、
前記画像形成装置本体は、該画像形成装置本体から前記給紙トレイを押し出す方向に加圧する第１の付勢部材と、
前記フックに係合し、前記給紙トレイの前記画像形成装置本体に対する位置決めを行う位置決め部材と、
該位置決め部材を前記フックに対して加圧するように付勢する第２の付勢部材と
を備えてなることを特徴とする給紙装置。
【請求項３】
請求項１または請求項２記載の給紙装置において、
前記画像形成装置本体は、前記給紙トレイの挿脱をガイドするガイド部材を備えると共に、前記ガイド部材または給紙トレイの少なくとも一方に、前記給紙トレイの挿脱に応じて回転する回転部材を備えたことを特徴とする給紙装置。
【請求項４】
請求項１〜請求項３のいずれかに記載の給紙装置において、
前記給紙トレイにおけるレバーの動作面の上下に、空間を備えたことを特徴とする給紙装置。
【請求項５】
請求項１〜請求項４のいずれかに記載の給紙装置を備えたことを特徴とする画像形成装置。
【発明の詳細な説明】
【技術分野】
【０００１】
本発明は、給紙装置およびその給紙装置を備えた画像形成装置に関し、特に、給紙トレイを装置本体に対して脱着する場合に操作力が小さくてすみ、且つ装置本体や給紙トレイに衝撃が加えられても給紙トレイが装置本体から抜き出ないようにした給紙装置およびその給紙装置を備えた画像形成装置に関する。
【背景技術】
【０００２】
プリンタ，ファクシミリ，複写機，印刷機等の画像形成装置は、用紙を画像形成部に供給するための給紙装置を備えている。
従来の給紙装置を備えた画像形成装置の構成および作用の概要を説明する。図５は、従来の画像形成装置（複写機）の概略側断面図、図６は、給紙装置の斜視図である。
【０００３】
図５，図６に示すように、画像形成装置ＧＫの装置本体１００の内部には、一枚ずつの用紙を供給する４組の給紙装置ＫＳ（図６）が配置されている。
符号１３１は手差しで複写を行う際に使用する手差し給紙部、符号１３２は用紙の両面に複写する際に使用する両面装置である。
【０００４】
給紙装置ＫＳ（図６）は、給紙トレイ１１０と給紙ユニット１２０とを備えてなる。箱状の給紙トレイ１１０は底板１１１を配置してなり、底板１１１には用紙を積層載置する。給紙ユニット１２０は、用紙を給紙トレイ１１０から一枚ずつ取り出す。
【０００５】
給紙ユニット１２０は、断面形状が略Ｌ字状の用紙ガイド１２４の下方に、次に説明する各種コロを配置してなる。
【０００６】
用紙ガイド１２４は、給紙トレイ１１０の上方に、用紙ガイド１２４の底面を用紙搬送方向に沿わせて配置してある。そして、用紙ガイド１２４は、幅の狭い呼び出しコロ１２１が呼び出した用紙を、スムーズに搬送するようにガイドする。
【０００７】
次に、図５，図６を参照しつつ、画像形成装置ＧＫの作用を説明する。
給紙トレイ１１０に積層載置した用紙を、呼び出しコロ１２１の回転により呼び出し、分離コロ１２２の回転により一枚ずつに分離する。一枚ずつに分離した用紙を、給紙コロ１２３の回転により用紙搬送路を介して上方に搬送する。
【０００８】
一方、原稿読取部１４０には予め原稿１４１を積層してセットしてあり、原稿１４１を図示省略の光学的手段により順次読み取る。読み取った原稿データを、画像形成部１５０に送信し、感光体ドラム等の手段により、搬送されてきた用紙に転写する。原稿データを転写された用紙を定着手段により定着し、排紙トレイ１３３に排出する（例えば、特許文献１、参照）。
【０００９】
そして、複写を繰り返していると、やがて給紙装置ＫＳの用紙が無くなり、新たに用紙を補給する必要が生じる。かかる場合には、ユーザーは、図６に示した矢印Ａ方向に給紙トレイ１１０を引き出し、所定サイズの用紙を補給した後、再度給紙トレイ１１０を装置本体１００の奥に押し戻す（給紙トレイの脱着操作）。
なお、給紙装置ＫＳにおいてジャムが発生した場合にも、前述と同様に給紙トレイ１１０の脱着操作を行う場合がある。
【特許文献１】特開２００４−１３７０４９号公報
【発明の開示】
【発明が解決しようとする課題】
【００１０】
ところで、ユーザーが給紙トレイを装置本体に対して脱着操作する場合には、操作力が小さい方が好ましい。また、ユーザビリティ（使い勝手）の観点から操作力低減の方向にある。
しかしながら、単純に操作力を低減すると、少しの衝撃で給紙トレイが移動し、装置本体から抜き出てしまうことがある。
【００１１】
本発明は上記の問題を解決すべくなされたものであり、給紙トレイを装置本体に対して脱着する場合に操作力が小さくてすみ、且つ装置本体や給紙トレイに衝撃が加えられても給紙トレイが装置本体から抜き出ないようにした給紙装置およびその給紙装置を備えた画像形成装置の提供を目的とする。
【課題を解決するための手段】
【００１２】
この目的を達成するために請求項１記載の発明は、画像形成装置本体に対して、給紙トレイが略水平方向に挿脱可能に構成された給紙装置において、
前記給紙トレイ（図１（Ａ），（Ｂ）の１）は、該給紙トレイに一体に取り付けられ、前記画像形成装置本体に対して略水平方向に操作して該給紙トレイを挿脱可能に設けられたレバー（４）と、該レバーに係合され、該レバーの操作に応じて回動可能なフック（５）とを備えてなり、
前記画像形成装置本体は、該画像形成装置本体から前記給紙トレイを押し出す方向に加圧する第１の付勢部材（圧縮バネ９）と、
前記フックに係合し、前記給紙トレイの前記画像形成装置本体に対する位置決めを行う位置決め部材（ストッパ６）と、
該位置決め部材を前記フックに対して加圧するように付勢する第２の付勢部材（圧縮バネ７）とを備えた構成としてある。
【００１３】
以上の構成を図示すると、例えば図１（Ａ），（Ｂ）に示すようになる。
この構成において、レバー４を矢印Ａ方向に操作すると、係合突起４ｂがフック５を反時計方向に回動させるので、フック５と位置決め部材（ストッパ６）との係合が解除される。係合が解除されると第１の付勢部材が給紙トレイ１を引出し方向に加圧するので、ユーザーは小さな力で給紙トレイ１を引出すことが可能となる。
【００１４】
また、レバー４を矢印Ｂ方向に操作すると、係合突起４ｂが位置決め部材（ストッパ６）を右方向に押すので、フック５と位置決め部材（ストッパ６）との係合が解除される。係合が解除されると第１の付勢部材が給紙トレイ１を引出し方向に加圧するので、ユーザーは小さな力で給紙トレイ１を引出すことが可能となる。
【００１５】
従って、レバーの動作（押す、引く）どちらでも画像形成装置本体と給紙トレイのロックが外れるので、軽い操作力で、しかも操作方向を問わず給紙トレイの脱着をおこなうことができ、ユーザビリティが大きく向上する。
また、給紙トレイのロック力は大きくできるので、画像形成装置本体の移動、衝撃などにも給紙トレイが抜き出てくることがなく、給紙トレイへのつまずき、引っかかりなどの障害（画像形成装置本体、ユーザーの身体）を防止することができる。
【００１６】
また、請求項２記載の発明は、画像形成装置本体に対して、給紙トレイが略水平方向に挿脱可能に構成された給紙装置において、
前記給紙トレイ（１）は、該給紙トレイに一体に取り付けられ、前記画像形成装置本体に対して略水平方向に操作して該給紙トレイを挿脱可能に設けられたレバー（４）と、
一端部が該レバーに係合されると共に、他端部が該レバーの操作に応じて回動可能なフック（５）に係合されるリンク部材（図２の２１）とを備えてなり、
前記画像形成装置本体は、該画像形成装置本体から前記給紙トレイを押し出す方向に加圧する第１の付勢部材（圧縮バネ９）と、
前記フックに係合し、前記給紙トレイの前記画像形成装置本体に対する位置決めを行う位置決め部材（ストッパ６）と、
該位置決め部材を前記フックに対して加圧するように付勢する第２の付勢部材（圧縮バネ７）とを備えた構成としてある。
【００１７】
以上の構成を図示すると、例えば図２に示すようになる。このようにすれば、レバーとフックとが離れて配置されている場合であっても、請求項１の場合と同様の作用および効果を実現することができる。
【００１８】
また、請求項３記載の発明は、請求項１または請求項２記載の給紙装置において、
前記画像形成装置本体は、前記給紙トレイ（図３の１）の挿脱をガイドするガイド部材（３１ａ，３１ｂ）を備えると共に、前記ガイド部材または給紙トレイの少なくとも一方に、前記給紙トレイの挿脱に応じて回転する回転部材（３２ａ〜３２ｃ）を備えた構成としてある。
【００１９】
以上の構成を図示すると、例えば図３に示すようになる。このようすれば、給紙トレイを挿脱する際の摺動部に回転部材を設けたので、給紙トレイと画像形成装置本体に設けたガイド部材の摩擦力が大幅に低下し、給紙トレイの挿脱に要する操作力をより低減することができる。
【００２０】
また、請求項４記載の発明は、請求項１〜請求項３のいずれかに記載の給紙装置において、前記給紙トレイにおけるレバーの動作面の上下に、空間を備えた構成としてある。
【００２１】
以上の構成を図示すると、例えば図４（Ａ），（Ｂ）に示すようになる。
このようにすれば、請求項１の作用および効果を実現できると共に、レバーを順手、逆手どちらでも使えるようにしているので、操作の自由度が確保できる。
【００２２】
また、請求項５記載の発明は、画像形成装置は、請求項１〜請求項４のいずれかに記載の給紙装置を備えた構成としてある。
このようにすれば、画像形成装置を使用する場合に、レバーの動作（押す、引く）どちらでも画像形成装置本体と給紙トレイのロックが外れるので、軽い操作力で、しかも操作方向を問わず給紙トレイの脱着をおこなうことができ、ユーザビリティが大きく向上する。
また、給紙トレイのロック力は大きくできるので、画像形成装置本体の移動、衝撃などにも給紙トレイが抜き出てくることがなく、給紙トレイへのつまずき、引っかかりなどの障害（画像形成装置本体、ユーザーの身体）を防止することができる。
【００２３】
さらに、レバーとフックとが離れている場合であっても、請求項１の場合と同様の作用および効果を実現することができる。
さらにまた、レバーを順手、逆手どちらでも使えるようにしているので、画像形成装置の操作の自由度が確保できる。
【発明の効果】
【００２４】
請求項１記載の発明によれば、レバーの動作（押す、引く）どちらでも画像形成装置本体と給紙トレイのロックが外れるので、軽い操作力で、しかも操作方向を問わず給紙トレイの脱着をおこなうことができ、ユーザビリティが大きく向上する。
また、給紙トレイのロック力は大きくできるので、画像形成装置本体の移動、衝撃などにも給紙トレイが抜き出てくることがなく、給紙トレイへのつまずき、引っかかりなどの障害を防止することができる。
【００２５】
請求項２記載の発明によれば、レバーとフックとが離れている場合であっても、請求項１の場合と同様の作用および効果を実現することができる。
請求項３記載の発明によれば、給紙トレイを挿脱する際の摺動部に回転部材を設けたので、給紙トレイと画像形成装置本体に設けたガイド部材の摩擦力が大幅に低下し、給紙トレイの挿脱に要する操作力をより低減することができる。
【００２６】
請求項４記載の発明によれば、請求項１の作用および効果を実現できると共に、レバーを順手、逆手どちらでも使えるようにしているので、操作の自由度が確保できる。
【００２７】
請求項５記載の発明によれば、画像形成装置を使用する場合に、レバーの動作（押す、引く）どちらでも画像形成装置本体と給紙トレイのロックが外れるので、軽い操作力で、しかも操作方向を問わず給紙トレイの脱着をおこなうことができ、ユーザビリティが大きく向上する。
【００２８】
また、給紙トレイのロック力は大きくできるので、画像形成装置本体の移動、衝撃などにも給紙トレイが抜き出てくることがなく、給紙トレイへのつまずき、引っかかりなどの障害を防止することができる。
さらに、レバーとフックとが離れている場合であっても、請求項１の場合と同様の作用および効果を実現することができる。
さらにまた、レバーを順手、逆手どちらでも使えるようにしているので、画像形成装置の操作の自由度が確保できる。
【発明を実施するための最良の形態】
【００２９】
以下、本発明を図示の実施形態に基づいて説明する。
（１）第一の実施形態…請求項１に対応
図１は、本実施形態を示す図であって、（Ａ）は平面図、（Ｂ）は要部拡大斜視図である。
【００３０】
図１（Ａ），（Ｂ）に示すように、給紙トレイ１の引出し方向の端縁側右隅には、支軸２が立設されている。この支軸２の給紙トレイ底板側には、左右先端部（左先端部３ａ、右先端部３ｂ）が開く方向に付勢されているねじりコイルバネ３が、遊嵌されている。支軸２は、給紙トレイ１と一体成型でもよいし、別部材、例えば段付ネジなどでもよい。
【００３１】
ねじりコイルバネ３の上には、次に説明するレバー４とフック５とが、それぞれ支軸２に対して回動可能に外嵌されている。
前記レバー４は、板状部材からなり、平面形状が略Ｌ字状をなし、長手部の左端側にはユーザーの手指を掛けやすくするための波状の操作部４ａが形成されている。短手部の先端は上方に向けて係合突起４ｂが形成されている。長手部と短手部の交差する角部に貫通孔が形成され、この貫通孔が前記支軸２に回動可能に外嵌されている。
また、レバー４の操作部４ａに対向した給紙トレイ１の側面には、ユーザーが手指を差し込む操作窓１ａが形成されている。
【００３２】
前記フック５は板状部材からなり、平面形状は略鳶口状に形成されている。フック５の基部が支軸２に回動可能に外嵌され、先端部に次に説明するストッパ６に係合するストッパ係合部５ａが形成されている。
また、フック５の中央部は幅が狭く形成され、前記レバー４の係合突起４ｂに係合する突起係合部５ｃが形成されている。
なお、本実施形態ではレバー４とフック５とは共通の支軸２としているが、両者の支軸を別に設けてもよい。
【００３３】
前記レバー４の係合突起４ｂに対向した位置には、ストッパ６が配置されている。ストッパ６は圧縮バネ７の一端に固定され、圧縮バネ７の伸縮方向（図1（Ａ）において、左右方向）以外には、移動しないようになっている。圧縮バネ７の他端は、装置本体８ａに固定されている。ストッパ６は、フック５に対して係止するのに十分な移動量までで規制されている。
なお、ストッパ６は合成樹脂で成型しても良いし、板金、板金に切削した軸をカシメたもの、それらの複合部材でもよい。
また、ストッパ６を、支軸を中心に回転するコロとし（図示省略）、該支軸を弾性部材（圧縮バネ７の代替部材）で支持するようにしても、操作の際の動作力を低減することができる。
【００３４】
以上の構成により、ねじりコイルバネ３によりレバー４とフック５とは互いに開く方向（レバー４は反時計方向、フック５は時計方向）に付勢され、レバー４の係合突起４ｂはストッパ６と圧縮バネ７により、反時計方向に付勢されている。
なお、フック５は、図１（Ａ）において、これ以上時計方向には回らないようにストッパ（図示省略）で規制されている。また、レバー４は図1（Ａ）において、図示の位置に通常はあるように、ねじりコイルバネ３の値は設定されている。
更に、別部品であるねじりコイルバネ３を使用せず、レバー４やフック５を合成樹脂で成型し、合成樹脂の弾性を用いて、前述の互いに開く方向の機能を実現してもよい。
【００３５】
給紙トレイ１の後方もしくは奥には、一端が装置本体８ｂに固定された圧縮バネ９が配置されている。圧縮バネ９の他端は、給紙トレイ１の側面に係合され、給紙トレイ１は引出し方向に付勢されている。この付勢力は、給紙トレイ１を装置本体にセットした際に、給紙トレイ側面が圧縮バネ９に係合する直前に付勢力がかかる程度であればよい。あまり圧縮バネ９の付勢力および動作量を大きくすると、給紙トレイ１を装置本体にセットする動作力が大きく、操作性が劣る結果になる。
【００３６】
以上の構成により、給紙トレイ１は圧縮バネ９により引出し方向に付勢され、且つ給紙トレイ１に一体に構成されたフック５がストッパ６に係合しているので、給紙トレイ１は画像形成装置本体内において、位置決めされることになる。即ち、ストッパ６は位置決め部材としての作用をなしている。
なお、圧縮バネ９は圧縮スプリングの場合を示したが、引っ張りバネ、エアークッション、板バネなどでもよい。また、別の機構部品により加圧するようにしてもよい。
【００３７】
次に本実施形態の作用（トレイ引出し操作）を説明する。
(a)第一のトレイ引出し操作
図１（Ａ），（Ｂ）において、レバー４をＡ方向（反時計方向）に引くと、レバー４の係合突起４ｂがフック５を反時計方向に回転させ、フック５のストッパ係合部５ａがストッパ６から外れる。すると、給紙トレイ１は圧縮バネ９により引出し方向に付勢されているので、引出し方向に僅かに押される。その後、さらにレバー４を引けば、給紙トレイ１を装置本体から所望の引出し量だけ引出すことができる。
【００３８】
(b)第二のトレイ引出し操作
図１（Ａ），（Ｂ）において、レバー４をＢ方向（時計方向）に押すと、係合突起４ｂがストッパ６を右方向に押し（圧縮バネ７が圧縮される方向）、ストッパ６がフック５からが外れる。このとき給紙トレイ１は、圧縮バネ９により付勢されているので、手前に出てくる。その後は、レバー４を引出し方向に操作し、給紙トレイ１を装置本体から引き出せばよい。
【００３９】
（２）第二の実施形態…請求項２に対応
図２は、本実施形態の要部平面図である。
なお、既に説明済みの部分には、同一符号を付し、重複説明を省略する。以下の各実施形態についても、同様に重複説明を省略する。
【００４０】
図２に示すように、レバー４とフック５とは離れた位置に配置され、レバー４は、図示省略の給紙トレイ１に立設された第１の支軸２２Ａに回動可能に外嵌されている。レバー４の係合突起４ｂは、次に説明するリンク部材２１の貫通孔２１ａにスムーズに係合するように、平面形状を円形にしておくのが、好ましい。フック５は、同じく給紙トレイ１に立設された支軸２２Ｂに回動可能に外嵌されている。
【００４１】
レバー４とフック５との間には、板状の細長いリンク部材２１が配置されている。リンク部材２１の左端部には貫通孔２１ａが形成され、この貫通孔２１ａにはレバー４の係合突起４ｂが挿入される。リンク部材２１の右端部には、円柱状の係合ピン２３が立設されている。
なお、フック５は図示省略の加圧手段（バネ等）により図中右方向へ付勢されている。但し、図２に示した位置よりは右方向には回らないように規制されている。
【００４２】
以上の構成において、レバー４を矢印Ａ方向に引くと、フック５は矢印Ａ’方向に回動し、ストッパ６に係合していたフック５が外れ、給紙トレイ１は引出し方向（図１（Ａ））に引出される。
また、レバー４を矢印Ｂ方向に押すと、リンク部材２１は右方に移動し、ストッパ６とフック５の係合状態が開放され、給紙トレイ１は引出し方向（図１（Ａ））に引出される。
【００４３】
（３）第三の実施形態…請求項３に対応
図３は、本実施形態の側面図である。
図３に示すように、装置本体に第１のガイド部材３１ａと第２のガイド部材３１ｂが対向配置され、両ガイド部材３１ａ，３１ｂの間に給紙トレイ１が挿脱可能に配置されている。給紙トレイ１の底面側には回転する第1のコロ３２ａが設けられ、上面側には第３のコロ３２ｃが設けられている。第２のコロ３２ｂは、第１のガイド部材３１ａに設けられている。
このようにすれば、給紙トレイ１の移動が軽くなり、バネ圧縮バネ９の付勢力を小さくすることができる。
なお、図３において、第１のガイド部材３１ａにのみ第２のコロ３２ｂを備えた場合、或は給紙トレイ１にのみ第１，第３のコロ３２ａ，３２ｃを備えた場合でも、給紙トレイ１の移動が軽くなり、バネ圧縮バネ９の付勢力を小さくすることができる。
また、第１のガイド部材３１ａと第２のガイド部材３１ｂとを一体構成としてもよい。
【００４４】
（４）第四の実施形態…請求項４に対応
図４（Ａ），（Ｂ）は本実施形態を示す図であって、（Ａ）は斜視図、（Ｂ）は平面図である。
図４（Ａ），（Ｂ）に示すように、給紙トレイ１Ａの引出し方向前面に上下に手指を入れることが可能な操作凹部４１が形成されている。また、操作凹部４１の給紙トレイ側面にはレバー４が矢印Ａ，矢印Ｂ方向に移動可能な切欠（図示省略）が形成されている。
【００４５】
操作凹部４１には、順手（手の甲を上）、逆手（手の甲を下）のどちらでもレバー４を握ることが可能である。また、レバー４を握らなくてもそろえた指が上下どちらからもでも、レバー４に掛けることが可能である。
【００４６】
なお、前記各実施形態において、フック５とストッパ６の係合動作を軽くするために、ストッパ６にコロを設けて摩擦抵抗を低減するようにしてもよい。
また、給紙トレイ１の脱着方向と用紙搬送方向は直交しても平行でもよい。
【００４７】
さらに、前記各実施形態では、係合突起４ｂ，フック５，ストッパ６等からなるロック機構は水平に回動するように図示しているが、垂直方向に回動するように配置しても、前記各実施形態と同様の効果が得られる事は明らかである。
【図面の簡単な説明】
【００４８】
【図１】本発明の第一の実施形態を示す図であって、（Ａ）は平面図、（Ｂ）は要部斜視図である。
【図２】同第二の実施形態の要部を示す平面図である。
【図３】同第三の実施形態を示す側面図である。
【図４】同第四の実施形態を示す図であって、（Ａ）は斜視図、（Ｂ）は平面図である。
【図５】従来の画像形成装置（複写機）の概略側断面図である。
【図６】従来の画像形成装置（複写機）の給紙装置の斜視図である。
【符号の説明】
【００４９】
ＧＫ  画像形成装置
ＫＳ  給紙装置
１，１Ａ  給紙トレイ
１ａ  操作窓
２，２２Ａ，２２Ｂ  支軸
３  ねじりコイルバネ
３ａ  ねじりコイルバネの左先端部
３ｂ  ねじりコイルバネの右先端部
４  レバー
４ａ  操作部
４ｂ  係合突起
５  フック
５ａ  ストッパ係合部
５ｃ  突起係合部
６  ストッパ
７  圧縮バネ
８ａ，８ｂ  装置本体
９  圧縮バネ
２１  リンク部材
２１ａ  貫通孔
２３  係合ピン
３１ａ  第１のガイド部材
３１ｂ  第２のガイド部材
３２ａ〜コロ３２ｃ  第１〜第３のコロ
４１  操作凹部
１００  画像形成装置の装置本体
１１０  給紙トレイ
１１１  底板
１２０  給紙ユニット
１２１  呼び出しコロ
１２２  分離コロ
１２３  給紙コロ
１２４  用紙ガイド
１２４ａ  窓
１３１  手差し板
１３２  両面装置
１３３  排紙トレイ
１４０  原稿読取部
１４１  原稿
１５０  画像形成部
【図１】
2006206319.tif 000003
【図２】
2006206319.tif 000004
【図３】
2006206319.tif 000005
【図４】
2006206319.tif 000006
【図５】
2006206319.tif 000007
【図６】
2006206319.tif 000008